(57)【要約】【課題】固定部材にシート材を確実に固定できるシート材固定装置を得る。【解決手段】印刷版自動露光装置の露光部１８では、昇降部材５６を回転ドラム２４の周面から離間させて解除ピン２８による前端チャック２６前側の押圧を解除することで、回転ドラム２４の周面と前端チャック２６の後端との間に搬送された印刷版１２の前端を前端チャック２６の後端が回転ドラム２４の周面に押し付けて、回転ドラム２４の周面に印刷版１２の前端が固定される。ここで、回転ドラム２４の周面と前端チャック２６の後端との間への印刷版１２前端の搬送を案内ロール７２が案内するため、印刷版１２がカールしていたり厚手のものであったりしても、印刷版１２の前端を回転ドラム２４と前端チャック２６との間に確実に搬送でき、回転ドラム２４の周面に印刷版１２の前端を確実に固定することができる。【選択図】　　　図１
2004004416.tif 000002
【特許請求の範囲】
【請求項１】
シート材搬送方向側に設けられ、前記シート材の固定対象たる固定部材と、
前記固定部材に設けられ、前記固定部材との間に搬送された前記シート材を前記固定部材に押し付けることで前記固定部材に前記シート材を固定する押付部材と、
前記押付部材の反前記シート材搬送方向側に配置され、前記固定部材と前記押付部材との間への前記シート材の搬送を案内する案内部材と、
を備えたシート材固定装置。
【請求項２】
前記案内部材は、前記押付部材の反前記シート材搬送方向側と前記押付部材の反前記固定部材側との間を移動可能とされた、ことを特徴とする請求項１記載のシート材固定装置。
【請求項３】
前記案内部材は、円柱状とされると共に回転自在とされ、前記押付部材上を回転することで前記押付部材の反前記シート材搬送方向側と前記押付部材の反前記固定部材側との間を移動される、ことを特徴とする請求項２記載のシート材固定装置。
【請求項４】
前記押付部材の反前記シート材搬送方向側部位に設けられ、反前記シート材搬送方向へ向かい前記固定部材側へ傾斜する傾斜面を備えた、ことを特徴とする請求項２または請求項３記載のシート材固定装置。
【発明の詳細な説明】
【０００１】
【発明の属する技術分野】
本発明は、固定部材にシート材を固定するシート材固定装置に関する。
【０００２】
【従来の技術】
印刷版露光装置としては、シート状の印刷版（例えば所謂フォトポリプレートやサーマルプレート）における画像形成層（感光層や感熱層等）に、直接レーザビーム等で画像を記録（露光）するものが開発されてきている。
【０００３】
この印刷版露光装置は、例えば円柱状の回転ドラムを備えている。回転ドラムの周面には板状の前端チャックが回転自在に支持されており、前端チャックの一側には回転ドラムの周面から離間する方向へ弾性力が付与されている。回転ドラムの近傍には解除レバーが設けられており、解除レバーは前端チャックの一側を回転ドラムの周面へ向けて押圧している。これにより、前端チャックの他側が回転ドラムの周面から離間しており、前端チャックの他側と回転ドラムの周面との間には印刷版の前端が搬送される。
【０００４】
前端チャックの他側と回転ドラムの周面との間に印刷版の前端が搬送されると、解除レバーによる前端チャック一側の押圧が解除されることで、前記弾性力によって前端チャックの他側が印刷版の前端を回転ドラムの周面に押し付けて、回転ドラムの周面に印刷版の前端が固定される。さらに、回転ドラムが回転されることで回転ドラムの周面に印刷版が巻き付けられると共に、回転ドラムの周面に後端チャックを取り付けることで後端チャックによって回転ドラムの周面に印刷版の後端が固定される。
【０００５】
回転ドラムの近傍には記録ヘッドが設置されており、回転ドラムの周面に巻き付けられた印刷版に、回転ドラムが高速回転されつつ、記録ヘッドから光ビームが照射されることで、印刷版が露光処理される構成である。
【０００６】
しかしながら、このような印刷版露光装置では、回転ドラムが回転される際に前端チャックが回転ドラムの周辺機構に衝突することを防止する必要があることや、前端チャックが回転ドラムの周面に回転自在に支持される構成であること等から、解除レバーが前端チャックの一側を押圧する際における前端チャック他側の回転ドラム周面からの離間距離（開口角）をあまり大きくすることができない。
【０００７】
このため、特に印刷版がカールしていたりすると、印刷版が回転ドラム側へ搬送される際に印刷版の前端が前端チャックに当接し、これにより、前端チャックの他側と回転ドラムの周面との間に印刷版の前端を搬送できず、回転ドラムの周面に印刷版の前端を固定できない可能性がある。
【０００８】
【発明が解決しようとする課題】
本発明は上記事実を考慮し、固定部材にシート材を確実に固定できるシート材固定装置を得ることが目的である。
【０００９】
【課題を解決するための手段】
請求項１に記載のシート材固定装置は、シート材搬送方向側に設けられ、前記シート材の固定対象たる固定部材と、前記固定部材に設けられ、前記固定部材との間に搬送された前記シート材を前記固定部材に押し付けることで前記固定部材に前記シート材を固定する押付部材と、前記押付部材の反前記シート材搬送方向側に配置され、前記固定部材と前記押付部材との間への前記シート材の搬送を案内する案内部材と、を備えている。
【００１０】
請求項１に記載のシート材固定装置では、固定部材と押付部材との間に搬送されたシート材を押付部材が固定部材に押し付けることで、固定部材にシート材が固定される。
【００１１】
ここで、押付部材の反シート材搬送方向側に配置された案内部材が、固定部材と押付部材との間へのシート材の搬送を案内する。このため、シート材がカールしていたりしても、シート材が固定部材側へ搬送される際にシート材を固定部材と押付部材との間に確実に搬送でき、これにより、固定部材にシート材を確実に固定することができる。
【００１２】
請求項２に記載のシート材固定装置は、請求項１に記載のシート材固定装置において、前記案内部材は、前記押付部材の反前記シート材搬送方向側と前記押付部材の反前記固定部材側との間を移動可能とされた、ことを特徴としている。
【００１３】
請求項２に記載のシート材固定装置では、案内部材が、押付部材の反シート材搬送方向側と押付部材の反固定部材側との間を移動可能とされているため、案内部材が押付部材の反固定部材側に配置された際には、案内部材が押付部材のシート材搬送方向側及び反シート材搬送方向側へ突出することがなく、省スペースを図ることができる。
【００１４】
請求項３に記載のシート材固定装置は、請求項２に記載のシート材固定装置において、前記案内部材は、円柱状とされると共に回転自在とされ、前記押付部材上を回転することで前記押付部材の反前記シート材搬送方向側と前記押付部材の反前記固定部材側との間を移動される、ことを特徴としている。
【００１５】
請求項３に記載のシート材固定装置では、案内部材が円柱状とされると共に回転自在とされており、案内部材が、押付部材上を回転することで押付部材の反シート材搬送方向側と押付部材の反固定部材側との間を移動される。このため、案内部材が押付部材の反シート材搬送方向側と押付部材の反固定部材側との間を容易に移動することができる。
【００１６】
請求項４に記載のシート材固定装置は、請求項２または請求項３に記載のシート材固定装置において、前記押付部材の反前記シート材搬送方向側部位に設けられ、反前記シート材搬送方向へ向かい前記固定部材側へ傾斜する傾斜面を備えた、ことを特徴としている。
【００１７】
請求項４に記載のシート材固定装置では、押付部材の反シート材搬送方向側部位に設けられた傾斜面が、反シート材搬送方向へ向かい固定部材側へ傾斜されているため、案内部材が傾斜面上を移動することで、案内部材が押付部材の反シート材搬送方向側と押付部材の反固定部材側との間を一層容易に移動することができる。
【００１８】
【発明の実施の形態】
図５には、本発明のシート材固定装置が適用されて構成された実施の形態に係る印刷版自動露光装置１０が側面図にて示されている。
【００１９】
本実施の形態に係る印刷版自動露光装置１０は、シート材としてのフォトポリプレートやサーマルプレート等の印刷版１２における支持体上の画像形成層（感光層や感熱層等）に画像を露光（記録）するものである。印刷版自動露光装置１０は、搬送ガイドユニット１４とパンチ部１６と露光部１８とに分かれており、搬送ガイドユニット１４の前方にパンチ部１６及び露光部１８が配置されると共に、パンチ部１６の下方に露光部１８が配置されている。
【００２０】
搬送ガイドユニット１４は、略四角形平板状の給版ガイド２０と、略四角形平板状の排版ガイド２２と、を有しており、給版ガイド２０と排版ガイド２２とは互いの相対位置関係が横Ｖ字型とされている。搬送ガイドユニット１４は、図５の中央付近を中心として所定角度回動する構造となっており、この回動によって、給版ガイド２０や排版ガイド２２を選択的にパンチ部１６や露光部１８に対応させることができる。また、給版ガイド２０上には、印刷版１２が供給される。
【００２１】
ここで、搬送ガイドユニット１４が回動されて給版ガイド２０がパンチ部１６に対応（対向）されることで、給版ガイド２０上の印刷版１２の前端部がパンチ部１６内に搬送されて、パンチ部１６によって印刷版１２の前端部に例えば円孔と長孔等の所定数のパンチ孔（図示省略）が穿孔される。パンチ部１６での処理が終了すると、印刷版１２が給版ガイド２０上へ戻される。
【００２２】
露光部１８は、固定部材としての回転ドラム２４を備えている。回転ドラム２４は円柱状とされると共に中心軸４０を有しており、中心軸４０が互いに対向する一対の支持板４２（図４参照）に支持されることで、図５の矢印Ａ及び矢印Ｂの方向へ回転可能とされている。ここで、上述の如くパンチ部１６から給版ガイド２０上へ印刷版１２が戻されると、搬送ガイドユニット１４が回動されて給版ガイド２０が露光部１８に対応される（回転ドラム２４の接線方向に対向される）ことで、回転ドラム２４の周面上に印刷版１２の前端が搬送されて、印刷版１２が位置決めされる。
【００２３】
回転ドラム２４の周面には、印刷版１２の前端が搬送される位置において、押付部材としての断面く字形板状の先端チャック２６が所定数（本実施の形態では１１個）設けられており、所定数の前端チャック２６は左右方向に沿って配置されている（図４参照）。
【００２４】
図３に示す如く、前端チャック２６の左右方向両側には支持部材４４が配置されており、各支持部材４４は回転ドラム２４の周面に固定されている。前端チャック２６の後側部位には支持軸４６が固定されており、支持軸４６が各支持部材４４に支持されることで、前端チャック２６が回転ドラム２４に各支持部材４４を介して回転自在に支持されている。また、前端チャック２６の前側には、回転ドラム２４の周面から離間される方向へ弾性力が付与されている。
【００２５】
前端チャック２６後側部位の反回転ドラム２４側の面は傾斜面４８とされており、傾斜面４８は、平面状とされると共に後方（反印刷版１２搬送方向）へ向かい回転ドラム２４側へ傾斜している。前端チャック２６前側部位の反回転ドラム２４側の面には押圧凹部５０が形成されており、押圧凹部５０は円柱状とされている。
【００２６】
図４に示す如く、回転ドラム２４の上方には、円軸状のカム軸５２が設けられており、カム軸５２は一対の支持板４２間に回転可能に支持されている。カム軸５２の両端近傍には昇降カム５４が固定されており、各昇降カム５４は、円盤状とされて、中心の真上にカム軸５２の中心が配置されている。
【００２７】
カム軸５２の下方には、昇降部材５６が配置されている。昇降部材５６の左右方向両端上部には断面Ｕ字板状の駆動フレーム５８が固定されており、各駆動フレーム５８の内部には円盤状の駆動盤６０が回転自在に支持されている。各駆動フレーム５８と各支持板４２との間には引張コイルスプリング６２が架け渡されており、各引張コイルスプリング６２の付勢力によって各駆動フレーム５８が上方へ付勢されることで、各駆動盤６０の上端が各昇降カム５４の下端に当接している。
【００２８】
昇降部材５６の左右方向両端には案内板６４が固定される一方、各支持板４２には案内溝６６が設けられており、各案内板６４は各案内溝６６に部分的に嵌入されている。ここで、カム軸５２が回転されて、各昇降カム５４が中心の真下にカム軸５２の中心が配置される回転位置に回転される際には、各引張コイルスプリング６２の付勢力によって各駆動盤６０の上端が各昇降カム５４の下端に当接しつつ各駆動フレーム５８が上昇されることで、各案内板６４が各案内溝６６に案内されつつ昇降部材５６が回転ドラム２４の周面から離間される。また、この状態からカム軸５２が回転されて、各昇降カム５４が中心の真上にカム軸５２の中心が配置される回転位置に回転される（戻される）際には、各昇降カム５４に各駆動盤６０が押圧されて、各引張コイルスプリング６２の付勢力に抗して各駆動フレーム５８が下降されることで、各案内板６４が各案内溝６６に案内されつつ昇降部材５６が回転ドラム２４の周面に接近される。
【００２９】
図１にも示す如く、昇降部材５６の下部には、円柱棒状の解除ピン２８が所定数（本実施の形態では１１個）固定されている。各解除ピン２８の下端は、各前端チャック２６の押圧凹部５０に挿入されて、各前端チャック２６の前側を押圧しており、このため、各前端チャック２６の後端が上記弾性力に抗して回転ドラム２４の周面から離間している。これにより、上述の如く給版ガイド２０から回転ドラム２４の周面上に搬送される印刷版１２の前端が各前端チャック２６の後端と回転ドラム２４の周面との間に搬送され、この状態で上記印刷版１２の位置決めが行われる。なお、本実施の形態では、前端チャック２６の後端と回転ドラム２４の周面との回転ドラム２４径方向に沿った離間距離Ｍが、１．５ｍｍとされている。
【００３０】
昇降部材５６の下部には、略Ｌ字形板状の回転板６８の上部が所定数対（本実施の形態では３対）回転可能に支持されており、各対の回転板６８と昇降部材５６との間には捩りコイルスプリング７０が架け渡されている。各対の回転板６８の下端間には、案内部材としての案内ロール７２が回転自在に支持されており、各案内ロール７２は円柱状とされている。案内ロール７２は、捩りコイルスプリング７０の付勢力により前端チャック２６の傾斜面４８下端に当接されて、前端チャック２６の後側（反印刷版１２搬送方向側）に配置されており、上述の如く給版ガイド２０から回転ドラム２４の周面上に搬送される印刷版１２の前端が、案内ロール７２によって各前端チャック２６の後端と回転ドラム２４の周面との間に案内される。なお、本実施の形態では、案内ロール７２（前端チャック２６の後端下縁を通る直線Ｌが案内ロール７２に接する点）と回転ドラム２４の周面との回転ドラム２４径方向に沿った離間距離Ｎが、３ｍｍ以上とされている。
【００３１】
ここで、上記印刷版１２の位置決めが終了した後には、カム軸５２が回転されて、図２に示す如く昇降部材５６が回転ドラム２４の周面から離間されることで、各解除ピン２８が各前端チャック２６の押圧凹部５０から離間して、各解除ピン２８による各前端チャック２６前側の押圧が解除される。これにより、所定数の前端チャック２６後端が上記弾性力により印刷版１２前端の略全体を回転ドラム２４の周面に押し付けることで、回転ドラム２４の周面に印刷版１２の前端が固定される。
【００３２】
また、昇降部材５６が回転ドラム２４の周面から離間される際には、各案内ロール７２が、回転ドラム２４の周面から離間されつつ、各捩りコイルスプリング７０の付勢力により各前端チャック２６の傾斜面４８上を回転しつつ前方へ移動されることで、各対の回転板６８下側部位が昇降部材５６の移動方向に平行となる位置まで回転されて、各案内ロール７２が各前端チャック２６の反回転ドラム２４側に配置される。
【００３３】
さらに、上述の如く回転ドラム２４の周面に印刷版１２の前端が固定されると、回転ドラム２４が図５の矢印Ａの方向へ回転されて、印刷版１２が回転ドラム２４の周面に巻き付けられる。
【００３４】
図５に示す如く、回転ドラム２４の周面近傍には、各解除ピン２８よりも図５の矢印Ａの方向側において、円柱状のスクイズローラ３０が配設されている。スクイズローラ３０は、回転ドラム２４側へ移動されることで、回転ドラム２４に巻き付けられる印刷版１２を回転ドラム２４へ向けて押圧しつつ回転され、印刷版１２を回転ドラム２４の周面に密着させる。
【００３５】
回転ドラム２４の周面近傍には、後端チャック着脱ユニット３２が配設されている。後端チャック着脱ユニット３２は昇降フレーム３４を有しており、昇降フレーム３４は回転ドラム２４へ向けて移動可能とされている。昇降フレーム３４には、板状の後端チャック３６が所定数（本実施の形態では４個）装着されており、所定数の後端チャック３６は左右方向に沿って配置されている。
【００３６】
ここで、回転ドラム２４に巻き付けた印刷版１２の後端が後端チャック着脱ユニット３２に対向すると、昇降フレーム３４が下降されて各後端チャック３６が回転ドラム２４側へ移動されることで、各後端チャック３６が回転ドラム２４の周面に装着される。これにより、所定数の後端チャック３６前端が印刷版１２後端の略全体を回転ドラム２４の周面に押し付けることで、回転ドラム２４の周面に印刷版１２の後端が固定される。また、各後端チャック３６が回転ドラム２４の周面に装着されると同時に昇降フレーム３４から各後端チャック３６が離脱され、その後、昇降フレーム３４が原点位置へ上昇される。
【００３７】
このように、各前端チャック２６及び各後端チャック３６によって印刷版１２の前端及び後端が回転ドラム２４の周面に固定されると、スクイズローラ３０が回転ドラム２４から離間された後に、回転ドラム２４が所定の回転速度で高速回転される。
【００３８】
回転ドラム２４周面の後方近傍には、記録ヘッド３８が配設されており、記録ヘッド３８は、高速回転される回転ドラム２４に向け、この回転ドラム２４の回転に同期させて、読み込まれた画像データに基づいて変調した光ビームを照射し、これにより、印刷版１２が画像データに基づいて露光される。この露光処理は、回転ドラム２４を高速で回転させながら（主走査）、記録ヘッド３８を回転ドラム２４の軸方向へ移動させる（副走査）、所謂走査露光である。
【００３９】
印刷版１２への露光処理が終了すると、各後端チャック３６が昇降フレーム３４に対向する位置で回転ドラム２４が一時停止されて、昇降フレーム３４が回転ドラム２４側へ下降されることで、各後端チャック３６の回転ドラム２４周面への装着が解除されて各後端チャック３６の前端による印刷版１２後端の固定が解除される。また、これと同時に昇降フレーム３４に各後端チャック３６が装着され、その後、昇降フレーム３４が原点位置へ上昇される。さらに、搬送ガイドユニット１４が回動されて排版ガイド２２が露光部１８に対応された（回転ドラム２４の接線方向に対向された）後、回転ドラム２４が図５の矢印Ｂの方向へ回転されることで、印刷版１２が後端側から排版ガイド２２上へ排出される。
【００４０】
この際、各解除ピン２８が各前端チャック２６に対向する位置で回転ドラム２４が一時停止され、カム軸５２が回転されて、図１に示す如く昇降部材５６が回転ドラム２４の周面に接近されることで、各解除ピン２８の下端が各前端チャック２６の押圧凹部５０に挿入される。このため、各解除ピン２８に各前端チャック２６の前側が押圧されて各前端チャック２６の後端が回転ドラム２４の周面から離間されることで、各前端チャック２６の後端による印刷版１２前端の固定が解除される。
【００４１】
また、昇降部材５６が回転ドラム２４の周面に接近される際には、各案内ロール７２が、回転ドラム２４の周面に接近されつつ、各捩りコイルスプリング７０の付勢力に抗して各前端チャック２６の傾斜面４８上を回転しつつ後方へ移動されることで、各案内ロール７２が各前端チャック２６の後側（各傾斜面４８の下端）に配置される。
【００４２】
印刷版１２が排版ガイド２２へ排出されると、搬送ガイドユニット１４が回動されて、排版ガイド２２から印刷版１２が排出され、これにより、印刷版１２が印刷版自動露光装置１０に隣接する次工程の現像装置または印刷装置（図示省略）へ搬送される構成である。
【００４３】
次に、本実施の形態の作用を説明する。
【００４４】
以上の構成の印刷版自動露光装置１０では、印刷版１２が給版ガイド２０に載置されると、搬送ガイドユニット１４が回動されて給版ガイド２０がパンチ部１６に対応されることで、印刷版１２の前端部がパンチ部１６内に搬送される。パンチ部１６内に搬送された印刷版１２は、前端部にパンチ部１６により所定数のパンチ孔が穿孔された後、給版ガイド２０上に戻される。
【００４５】
さらに、搬送ガイドユニット１４が回動されて給版ガイド２０が露光部１８に対応されることで、印刷版１２が露光部１８へ搬送されて、位置決めされる。位置決めされた印刷版１２は、前端と後端とがそれぞれ前端チャック２６と後端チャック３６とによって回転ドラム２４の周面に固定されると共にスクイズローラ３０によって回転ドラム２４の周面に密着されつつ、回転ドラム２４の周面に巻き付けられる。回転ドラム２４の周面に印刷版１２が巻き付けられると、回転ドラム２４が高速回転された状態で、記録ヘッド３８から光ビームが印刷版１２へ照射されることで、露光処理が行われる。
【００４６】
露光処理が終了すると、搬送ガイドユニット１４が回動されて排版ガイド２２が回転ドラム２４に対応されると共に、前端チャック２６及び後端チャック３６による印刷版１２の回転ドラム２４周面への固定が解除されつつ、印刷版１２が回転ドラム２４から排版ガイド２２へ排出される。その後、搬送ガイドユニット１４が回動されて排版ガイド２２から印刷版１２が排出される。
【００４７】
ところで、露光部１８では、昇降部材５６が回転ドラム２４の周面から離間されることで、解除ピン２８が前端チャック２６の押圧凹部５０から離間して、解除ピン２８による前端チャック２６前側の押圧が解除される。これにより、回転ドラム２４の周面と前端チャック２６の後端との間に搬送された印刷版１２の前端を前端チャック２６の後端が弾性力により回転ドラム２４の周面に押し付けることで、回転ドラム２４の周面に印刷版１２の前端が固定される。
【００４８】
ここで、前端チャック２６の後側に配置された案内ロール７２が、回転ドラム２４の周面と前端チャック２６の後端との間への印刷版１２前端の搬送を案内する。このため、印刷版１２がカールしていたり厚手のものであったりしても、印刷版１２が回転ドラム２４側へ搬送される際に印刷版１２の前端を回転ドラム２４と前端チャック２６との間に確実に搬送でき、これにより、回転ドラム２４の周面に印刷版１２の前端を確実に（安定して）固定することができる。
【００４９】
また、昇降部材５６が回転ドラム２４の周面から離間される際には、案内ロール７２が回転ドラム２４の周面から離間されつつ、捩りコイルスプリング７０の付勢力により回転板６８の下側部位が昇降部材５６の移動方向に平行となる位置まで回転されて、案内ロール７２が前端チャック２６の反回転ドラム２４側に配置される。このため、他の機構（スクイズローラ３０、スクイズローラ３０を移動させるユニット（図示省略）及び後端チャック着脱ユニット３２等）が密集する前端チャック２６の前後方向へ回転板６８及び案内ロール７２が突出することがなく、省スペースを図ることができる。
【００５０】
さらに、案内ロール７２が円柱状とされると共に回転自在とされており、案内ロール７２が、前端チャック２６上を回転することで前端チャック２６の後側と前端チャック２６の反回転ドラム２４側との間を移動される。このため、案内ロール７２が前端チャック２６の後側と前端チャック２６の反回転ドラム２４側との間を容易に移動することができる。
【００５１】
また、前端チャック２６の後側部位に設けられた傾斜面４８が、後方へ向かい回転ドラム２４側へ傾斜されているため、案内ロール７２が傾斜面４８上を移動することで、案内ロール７２が前端チャック２６の後側と前端チャック２６の反回転ドラム２４側との間を一層容易に移動することができる。
【００５２】
さらにまた、解除ピン２８を駆動させる昇降部材５６の回転ドラム２４周面に対する離間及び接近によって、案内ロール７２が前端チャック２６の後側と前端チャック２６の反回転ドラム２４側との間を移動される。このため、案内ロール７２の駆動源が別途必要なく、コストを低減することができる。
【００５３】
なお、本実施の形態では、印刷版１２（シート材）の前端と後端とをそれぞれ前端チャック２６と後端チャック３６とによって回転ドラム２４（固定部材）の周面に固定する構成としたが、これに併用して、印刷版１２を回転ドラム２４側へ吸引して回転ドラム２４の周面に固定する構成としてもよい。
【００５４】
【発明の効果】
請求項１に記載のシート材固定装置では、案内部材が固定部材と押付部材との間へのシート材の搬送を案内するため、シート材を固定部材と押付部材との間に確実に搬送でき、固定部材にシート材を確実に固定することができる。
【００５５】
請求項２に記載のシート材固定装置では、案内部材が押付部材の反固定部材側に配置されることで、案内部材が押付部材のシート材搬送方向側及び反シート材搬送方向側へ突出することがなく、省スペースを図ることができる。
【００５６】
請求項３に記載のシート材固定装置では、案内部材が押付部材上を回転することで移動されるため、案内部材が押付部材の反シート材搬送方向側と押付部材の反固定部材側との間を容易に移動することができる。
【００５７】
請求項４に記載のシート材固定装置では、案内部材が押付部材の傾斜面上を移動することで、案内部材が押付部材の反シート材搬送方向側と押付部材の反固定部材側との間を一層容易に移動することができる。
【図面の簡単な説明】
【図１】本発明の実施の形態に係る印刷版自動露光装置において前端チャックの後端が回転ドラムの周面から離間した状態を示す側面図である。
【図２】本発明の実施の形態に係る印刷版自動露光装置において前端チャックの後端が回転ドラムの周面に印刷版の前端を固定した状態を示す側面図である。
【図３】本発明の実施の形態に係る印刷版自動露光装置の前端チャックを示す斜視図である。
【図４】本発明の実施の形態に係る印刷版自動露光装置における露光部の主要部を示す斜視図である。
【図５】本発明の実施の形態に係る印刷版自動露光装置を示す概略的な側面図である。
【符号の説明】
１０　　印刷版自動露光装置
１２　　印刷版（シート材）
２４　　回転ドラム（固定部材）
２６　　前端チャック（押付部材）
４８　　傾斜面
７２　　案内ローラ（案内部材）
【図１】
2004004416.tif 000003
【図２】
2004004416.tif 000004
【図３】
2004004416.tif 000005
【図４】
2004004416.tif 000006
【図５】
2004004416.tif 000007